(57)【要約】【課題】利便性向上を図ることができる電動工具用充電装置を提供する。【解決手段】電動工具の電池パック３０に対して充電を行う電源回路部２１と電池パック３０の状態として電圧を検出する電圧測定部２２とを有する。検出された前記電池パック３０の状態情報を、外部と近距離通信可能な通信装置１２に出力する情報処理部としての制御部２４を備える。【選択図】図２
2016015813.tif 000002
【特許請求の範囲】
【請求項１】
電動工具の二次電池に対して充電を行う充電部と前記二次電池の状態を検出する状態検出部とを有し、
前記状態検出部によって検出された前記二次電池の状態情報を、外部と近距離通信可能な通信部に出力する情報処理部を備えることを特徴とする電動工具用充電装置。
【請求項２】
請求項１に記載の電動工具用充電装置において、
前記状態検出部は、前記充電部による前記二次電池への充電が行われているか否かに関わらず前記二次電池の状態を検出し、
前記情報処理部は、状態検出部によって検出された前記二次電池の状態情報を、外部と近距離通信可能な通信部に出力することを特徴とする電動工具用充電装置。
【請求項３】
請求項１又は２に記載の電動工具用充電装置において、
前記充電部と前記状態検出部と前記情報処理部とを収容する充電装置本体を備え、
前記充電装置本体は、前記通信部を着脱可能な取付部を有することを特徴とする電動工具用充電装置。
【請求項４】
請求項１〜３のいずれか一項に記載の電動工具用充電装置において、
前記充電部は、前記通信部を介して外部から入力された充電停止信号が前記情報処理部に入力されると前記二次電池に対する充電を停止することを特徴とする電動工具用充電装置。
【請求項５】
請求項１〜４のいずれか一項に記載の電動工具用充電装置と、外部と近距離通信可能な通信部とを有することを特徴とする電動工具用充電システム。
【発明の詳細な説明】
【技術分野】
【０００１】
本発明は、電動工具の二次電池を充電する電動工具用充電装置及び電動工具用充電システムに関するものである。
【背景技術】
【０００２】
従来から、電動ドライバーやインパクトレンチなどの電動工具は本体に着脱自在な電池パック（二次電池）を電力供給源として用いている。これによって、商用電源などの外部電源に電気的接続する導電コードの作業中の取り回しの煩わしさを無くすことができる。さらに、外部電源の無い場所での作業を可能としている。
【０００３】
そして、上記電池パックに蓄えた電力が低下すると、電動工具用充電器に付け替えて、該充電器により電池パックを再度使用可能な状態に充電している（例えば特許文献１参照）。
【先行技術文献】
【特許文献】
【０００４】
【特許文献１】特開２０１１−７２１３８号公報
【発明の概要】
【発明が解決しようとする課題】
【０００５】
ところで、電動工具用充電装置は、例えばインジケータが備えられ、このインジケータには電池パックの充電完了や電池残容量などの状態情報が示されている。しかしながら、常に電動工具用充電装置の近くに使用者が居るわけではないため、電池パックの状態を確認することが難しい場合があり、利便性の面で改善の余地が残されている。
【０００６】
本発明は、上記課題を解決するためになされたものであって、その目的は、利便性向上を図ることができる電動工具用充電装置及び電動工具用充電システムを提供することにある。
【課題を解決するための手段】
【０００７】
上記課題を解決するために、電動工具用充電装置は、電動工具の二次電池に対して充電を行う充電部及び前記二次電池の状態を検出する状態検出部を備えた充電装置本体と、外部と近距離通信可能な通信部とを有し、前記通信部は、前記状態検出部によって検出された前記二次電池の状態情報を外部に対して出力可能に構成されることを特徴とする。
【０００８】
また上記課題を解決するために、電動工具用充電装置と、外部と近距離通信可能な通信部とを有することを特徴とする。
【発明の効果】
【０００９】
本発明の電動工具用充電装置及び電動工具用充電システムによれば、利便性向上を図ることができる。
【図面の簡単な説明】
【００１０】
【図１】実施形態における電動工具用充電装置の概略構成図である。
【図２】同上における電動工具用充電装置のブロック図である。
【発明を実施するための形態】
【００１１】
以下、電動工具用充電システムの一実施形態を図面に従って説明する。
図１に示すように、本実施形態の電動工具用充電システム１０は、電動工具用充電装置（以下、単に充電装置という）１１と、通信装置１２とを有する。
【００１２】
充電装置１１は、図示しない電動工具に対して着脱可能な電池パック３０の充電を行うものである。
電池パック３０は、１個又は複数個の電池セル３１を有している。電池セル３１としては、リチウムイオン電池、ニッケル水素電池、ニッケルカドミウム電池など、各種の２次電池が用いられる。
【００１３】
電池パック３０は、電池セル３１のプラス側にプラス電極３２が設けられ、電池セル３１のマイナス側にマイナス電極３３が設けられている。
図２に示すように、充電装置１１の充電装置本体１１ａは、充電部としての電源回路部２１と、電圧測定部２２と、電流測定部２３と、制御部２４とを有する。また、充電装置本体１１ａは、外部と通信を行う通信装置１２を装着可能なスロット部Ｓを有する。
【００１４】
電源回路部２１は、外部の交流電源（例えば商用電源）ＰＳから入力される交流電力をコンバータにより直流電力に変換する。
変換された直流電力は、充電装置本体１１ａ内の配線を通じて電池パック３０に供給される。配線のプラス側配線２５はプラス側端子２６に接続されている。配線のマイナス側配線２７はマイナス側端子２８に接続されている。充電装置本体１１ａのプラス側端子２６は、電池パック３０のプラス電極３２に接続される端子であり、充電装置本体１１ａのマイナス側端子２８は、電池パック３０のマイナス電極３３に接続される端子である。
【００１５】
電圧測定部２２は、プラス側端子２６とマイナス側端子２８との間に接続されて両端子２６，２８間の電圧、即ち電池パック３０の電圧を測定する。電圧測定部２２は、制御部２４と接続されて、測定結果を制御部２４に出力する。
【００１６】
電流測定部２３は、電池パック３０に供給される充電電流を測定するものである。電流測定部２３は、例えば、マイナス側配線２７に配置される抵抗２３ａにより構成される。この抵抗２３ａの両端の電位差を測定することにより、充電電流が導出される。
【００１７】
制御部２４は、電源回路部２１に制御信号を送信して電池パック３０への充電を制御するとともに、通信装置１２を介して外部機器との通信を行うものである。また、制御部２４は、電圧測定部２２によって測定された電圧から電池パック３０の残存容量を検出する。また、制御部２４は、前記電池パック３０の残存容量が１００％と判定すると、前記電源回路部２１に制御信号を出力して電源回路部２１から電池パック３０への充電を停止する。
【００１８】
図１及び図２に示すように、充電装置本体１１ａのスロット部Ｓは、外部に開口するように設けられ、カード型の通信装置１２を装着可能とされる。スロット部Ｓは、制御部２４と電気的に接続される。更に、スロット部Ｓは、通信装置１２が装着されることで電気的に通信装置１２と接続される。このため、通信装置１２で得られた情報は制御部２４に入力され、制御部２４から出力された情報は通信装置１２を介して外部の端末４０（例えばスマートフォンなど）に出力可能となっている。
【００１９】
通信装置１２は、例えばＢｌｕｅｔｏｏｔｈ（登録商標）やＺｉｇＢｅｅなどの近距離通信規格に沿って無線通信を行うものである。本実施形態の通信装置１２では、カード型の筐体に通信回路が内蔵されている。通信装置１２による通信の情報としては、送信する情報として電池パック３０の状態情報としての電池パック３０の残存容量の情報があり、受信する情報としては外部の端末４０から電池パック３０への充電を停止させる停止信号や充電を開始する開始信号がある。
【００２０】
次に、本実施形態の作用を説明する。
本実施形態の充電システム１０では、充電装置本体１１ａの各端子２６，２８に電池パック３０の各電極３２，３３が接続されると、制御部２４によって電源回路部２１が制御されて電池パック３０への充電が開始される。
【００２１】
また、制御部２４は、電池パック３０の状態情報としての電池パック３０の残量容量を電圧測定部２２によって測定された電圧より検出する。なお、これらは電池パック３０への充電が行われているか否かに関わらず残存容量を検出する。
【００２２】
そして、充電装置１１の制御部２４は、充電装置本体１１ａのスロット部Ｓに通信装置１２が装着されると、電池パック３０の状態情報としての電池パック３０の残存容量の情報を外部に出力する。そして、外部の端末４０は、電池パック３０の残存容量の情報を受信すると、それを自身の表示部に表示する。このため、外部の端末４０を所持している使用者は通信可能範囲内であれば電池パック３０や充電装置１１から離れても外部の端末４０に表示される電池パック３０の残存容量の情報を確認することができるようになっている。
【００２３】
また、制御部２４は、前記通信装置１２を介して外部の端末４０から停止信号が入力されると、電源回路部２１に制御信号を出力して電池パック３０への充電を停止させるようになっている。
【００２４】
次に、本実施形態の効果を記載する。
（１）情報処理部としての制御部２４は、外部の通信装置１２を介して電池パック３０の状態情報を出力可能である。これにより、例えばスマートフォンなどの外部の端末４０によって受信することが可能となるため、通信範囲内であれば電池パック３０の状態情報を外部の端末４０によって確認することができる。このため、充電装置１１から離れても電池パック３０の状態情報を確認でき、利便性向上を図ることができる。
【００２５】
（２）状態検出部を構成する電圧測定部２２及び制御部２４は、充電部を構成する電源回路部２１による電池パック３０への充電が行われているか否かに関わらず電池パック３０の状態を検出する。そして通信装置１２は、その電池パック３０の状態情報を外部に対して出力可能に構成される。これにより、例えば電池パック３０が充電されていなくても電池パック３０の状態（残存容量）の情報を外部の端末４０によって確認することができ、より利便性を向上させることができる。
【００２６】
（３）充電装置本体１１ａは、通信装置１２を着脱可能なスロット部Ｓを有するため、通信装置１２を用意することで、後から電動工具用充電装置において外部機器との通信が可能となる。特にＢｌｕｅｔｏｏｔｈ（登録商標）やＺｉｇＢｅｅなどの汎用性の通信部を用いることで、通信装置１２を他の電動工具用充電装置（充電装置本体）に流用することも可能である。
【００２７】
（４）充電部を構成する制御部２４及び電源回路部２１は、外部から入力された充電停止信号を通信装置１２を介して受信すると前記電池パック３０に対する充電を停止する。これによって外部の端末４０から充電装置１１を充電停止の制御を行うことができる。
【００２８】
（５）電動工具用充電システムとして電動工具用充電装置１１と通信装置１２とを有するため、確実に外部と通信を行うことができる。
なお、上記実施形態は、以下のように変更してもよい。
【００２９】
・上記実施形態では、電池パック３０の残存容量を検出する方法として電池パック３０の端子間電圧に基づいて検出する方法を採用したが、これに限らない。例えば、電池パック３０の出力電流に応じた端子間電圧（出力電圧）から電池パック３０の残像容量を検出するなど、電池パック３０の残像容量が検出できればいずれの方法を採用してもよい。
【００３０】
・上記実施形態では、電池パック３０の状態情報として、残存容量を検出する構成としたが、これに限らず、使用者が所望する電池パック３０の状態情報であればいずれの情報であってもよい。その例として以下に記載する。
【００３１】
（Ａ）電池パック３０の使用履歴。
（Ｂ）電池パック３０が充電されているか否か。
（Ｃ）電池パック３０が充電中である場合における充電完了までの時間。
【００３２】
（Ｄ）電池パック３０の電圧。
（Ｅ）電池パック３０の充電が完了しているか否か。
（Ｆ）電池パック３０の品番。
【００３３】
（Ｇ）電池パック３０の製造番号。
（Ｈ）電池パック３０の温度。
・上記実施形態では特に言及していないが、図１に示すように、充電装置本体１１ａに電池残量や充電状態を表示するインジケータ１１ｂを備えた構成を採用してもよい。
【００３４】
・上記実施形態では、外部の端末４０としてスマートフォンを採用したが、これに限らず、タブレット型端末、ノート型端末（ノートパソコン）や専用端末などを採用することができる。
【００３５】
・上記実施形態並びに上記各変形例は適宜組み合わせてもよい。
以上の実施形態並びに各変形例をまとめると、以下のようになる。
（付記１）
電動工具の二次電池に対して充電を行う充電部と前記二次電池の状態を検出する状態検出部とを有し、
前記状態検出部によって検出された前記二次電池の状態情報を、外部と近距離通信可能な通信部に出力する情報処理部を備えることを特徴とする電動工具用充電装置。
【００３６】
（付記２）
付記１に記載の電動工具用充電装置において、
前記状態検出部は、前記充電部による前記二次電池への充電が行われているか否かに関わらず前記二次電池の状態を検出し、
前記情報処理部は、状態検出部によって検出された前記二次電池の状態情報を、外部と近距離通信可能な通信部に出力することを特徴とする電動工具用充電装置。
【００３７】
（付記３）
付記１又は２に記載の電動工具用充電装置において、
前記充電部と前記状態検出部と前記情報処理部とを収容する充電装置本体を備え、
前記充電装置本体は、前記通信部を着脱可能な取付部を有することを特徴とする電動工具用充電装置。
【００３８】
（付記４）
付記１〜３のいずれか一項に記載の電動工具用充電装置において、
前記充電部は、前記通信部を介して外部から入力された充電停止信号が前記情報処理部に入力されると前記二次電池に対する充電を停止することを特徴とする電動工具用充電装置。
【００３９】
（付記５）
付記１〜４のいずれか一項に記載の電動工具用充電装置と、外部と近距離通信可能な通信部とを有することを特徴とする電動工具用充電システム。
【符号の説明】
【００４０】
１０…電動工具用充電システム、１１…電動工具用充電装置、１１ａ…充電装置本体、１２…通信部としての通信装置、２１…充電部を構成する電源回路部、２２…状態検出部を構成する電圧測定部、２４…情報処理部を構成する制御部、Ｓ…取付部としてのスロット部。
【図１】
2016015813.tif 000003
【図２】
2016015813.tif 000004